(57)【要約】      （修正有）【課題】寝ていても、小児が持っていても、ストローを挿入して上手にペットボトル飲料を飲めるように、ペットボトルのキャップに簡便に穴を明けるキャップ穴明け装置を提供する。【解決手段】キャップ穴明け装置は、手ににぎりやすい碗球状の台座１にＴ字形のネジ部２−１の上端がうめ込まれ固定され、ネジ部先端に刃２−２を有する。ペットボトルのキャップ３の上にかぶせ、台座部を回転させながらキャップの天板に当て、刃でキャップを切削し穴を明ける。【選択図】図２
0003195517.tif 000002
【実用新案登録請求の範囲】
【請求項１】
ペットボトルにストローの差込み口を作るキャップ穴明け装置であって当該キャップ穴明け装置は楕円形の碗状の台座部（１）と丁字形状のネジ部（２）で構成され、当台座部は上部中心に丁字形状の金属で出来たネジ部の上部（２）を埋め込み固定し、当ネジ部の先端に刃（２−２）を有することを特徴とするキャップ穴明け装置。
【請求項２】
ペットボトルのキャップにストローの差込み口を作るキャップ穴明け装置は楕円形の碗状の台座部（１）と丁字形状部（２）であることを特徴とする。
【考案の詳細な説明】
【技術分野】
【０００１】本考案はペットボトルに穴を明ける装置に関するものである。
【背景技術】
【０００２】ドライブ中の水分補給、老人、幼児、及び病人にペットボトルから飲ませる時、ストローのみだと不安定の爲、中の飲料がこぼれてしまうことがあるため、この問題を解決しようとするものである。
【考案の概要】
【考案が解決しようとする課題】
【０００３】寝て居ても、小児が持っていても、大変上手にペットボトル飲料が飲めるようにするため、ペットボトルのキャップの天板に穴の明いているキャップはあるが当該キャップに穴を明けることを簡便に行う方法がなかった。
【課題を解決するための手段】
【０００４】請求項にかかわる考案はペットボトルのキャップにストローの差込口を作るキャップ穴明け装置において当該キャップ穴明け装置は碗状形の台座部（１）と丁字形のネジ部（２）で構成され、当該台座部（１）は上部中心部に丁字形（２）を埋め込み固定することを特徴とするキャップ穴明け装置である。
【図面の簡単な説明】
【０００５】
【図１】キャップ穴明け装置の平面図
【図２】図１にかかる装置のＡ−Ｂ線の断面図
【図３】キャップ穴明け装置の底面図
【図４】請求項１に係るネジ部の断面図
【図５】使用時の図及びその断面図を示す実施例
【図６】ペットボトルのキャップにストローを挿入した使用状態を示す図である。
【考案を実施するための形態】
【０００６】キャップ穴明け装置は台座部（１）とネジ部（２）で構成される、台座部（１）は楕円形の碗状で強化樹脂等で作製し、ネジ部の上部（２）を埋め込み固定し金属又は強化樹脂等で作成する。
【０００７】次に操作方法を説明する、先ずペットボトル（３）の上にかぶせる（図５）は次に台座部（１）を手で握り回転させながらキャップ（３）の天板に当てさらに回転させて切削し穴を明ける、これによりキャップ（３）に所望の径の貫通孔を明けることが出来る、キャップの切屑がパイプ内に詰まった場合ネジ部（２−１）の穴よりつき落とす形状である。
【０００８】図６は使用の状態を示したものである。キャップ穴明装置によって作られた穴の明いたキャップをペットボトルに固定し穴にストローを挿入したものである、これにより老人、幼児  病人にやさしい飲み口の容器を提供することができる。
【実施例】
【０００９】台座部（１）の形状を動物の形状にした実施例。
【産業上の利用可能性】
【００１０】本考案は介護、子育て、及び医療等に用いる容器の飲み口等の製造に利用可能である。
【符号の説明】
【００１１】１      キャップ穴明け装置の台座部
２      Ｔ字形ネジ部の上部
２−１  ネジ孔部
２−２  刃
２−３  台座の空洞部
３      ペットボトルのキャップ
【図１】
0003195517.tif 000003
【図２】
0003195517.tif 000004
【図３】
0003195517.tif 000005
【図４】
0003195517.tif 000006
【図５】
0003195517.tif 000007
【図６】
0003195517.tif 000008
【手続補正書】
【提出日】平成26年10月23日(2014.10.23)
【手続補正１】
【補正対象書類名】実用新案登録請求の範囲
【補正対象項目名】全文
【補正方法】変更
【補正の内容】
【実用新案登録請求の範囲】
【請求項１】
ペットボトルにストローの差込み口を作るキャップ穴あけ装置であって当該キャップ穴あけ装置は楕円形の碗状の台座部と丁字形状の丁字形ネジ部の上部（２）で構成され、当台座部は上部中心に丁字形状の金属で出来た丁字形ネジ部の上部（２）を埋め込み固定し、ネジ部の先端に刃（２−２）を有することを特徴とするキャップ穴あけ装置。
【手続補正２】
【補正対象書類名】明細書
【補正対象項目名】全文
【補正方法】変更
【補正の内容】
【考案の詳細な説明】
【技術分野】
【０００１】本考案はペットボトルに穴をあける装置に関するものである。
【背景技術】
【０００２】ドライブ中の水分補給、老人、幼児、及び病人にペットボトルから飲ませる時、ストローのみだと不安定の為、中の飲料がこぼれてしまうことがあるため、この問題を解決しようとするものである。
【考案の概要】
【考案が解決しようとする課題】
【０００３】寝て居ても、小児が持っていても、大変上手にペットボトル飲料が飲めるようにするため、ペットボトルのキャップの天板に穴のあいているキャップはあるが、当該キャップに穴をあけることを簡便に行う方法がなかった。
【課題を解決するための手段】
【０００４】請求項にかかわる考案は、ペットボトルのキャップにストローの差込口を作るキャップ穴あけ装置において当該キャップ穴あけ装置は碗状形の台座部（１）と丁字形のネジ部（２）で構成され、当該台座部（１）は上部中心部に丁字形のネジ部の上部（２）を埋め込み固定することを特徴とするキャップ穴あけ装置である。
【図面の簡単な説明】
【０００５】
【図１】キャップ穴あけ装置の平面図
【図２】図１にかヽる装置のＡ−Ｂ線断面図
【図３】キャップ穴あけ装置の底面図
【図４】請求項１に係るネジ部の断面図
【図５】使用時の図及びその断面図を示す実施例
【図６】ペットボトルのキャップにストローを挿入した使用状態を示す図である
【考案を実施するための形態】
【０００６】キャップ穴あけ装置は台座部（１）とネジ部（２）で構成される。台座部（１）は楕円形の碗状で強化樹脂等で作製し、ネジ部の上部（２）を埋め込み固定し金属、又は強化樹脂等で作成する。
【０００７】次に操作方法を説明する、先ずペットボトルのキャップ（３）の上にかぶせる（図５）  次に台座部（１）を手で握り回転させながら、キャップ（３）の天板に当てさらに回転させて切削し穴をあける、これによりキャップ（３）に所望の径の貫通孔をあけることが出来る、キャップの切屑がパイプ内に詰まった場合  ネジ部（２−１）の穴よりつき落とす形状である。
【０００８】図６は使用の状態を示したものである、キャップ穴あけ装置によって作られた穴のあいたキャップの穴にストローを掃入したものである、これにより老人、幼児、病人にやさしい飲み口の容器を提供することができる。
【実施例】
【０００９】台座部（１）を動物の形状にした実施例。
【産業上の利用可能性】
【００１０】本考案は介護、子育て、及び医療等に用いる容器の飲み口等の製造に利用可能である
【符号の説明】
【００１１】１      キャップ穴あけ装置の台座部２      丁字形ネジ部の上部２−１  ネジ孔部２−２  刃２−３  台座の空洞部３      ペットボトルのキャップ